(57)【要約】  本発明はデータ伝送方法及び装置を開示し、ＬＴＥ−Ｕが従来のチャネル・アクセスメカニズムを採用すると、チャネル・アクセス能力が落ち、複数のユーザー装置が同時にアクセスできないと、同一のセルのユーザー装置間の閉塞も容易に発生してしまう、という問題点を解決した。本発明に係る方法は、現行チャネルを占有するため、通信装置は、ダウンリンクサブフレームとアップリンクサブフレームの間のＧＰ内に、信号を送信するステップと、通信装置は現行チャネルによりデータを伝送するステップとを備える。本発明にかかる実施例の技術案の実施煩雑さが低い、かつ、ＵＬアクセスきっかけがＷＩＦＩより劣る問題点を解決でき、ＭＵ−ＦＤＭ及びＭＵ−ＳＤＭの実施に有用であり、ＬＡＡ性能の損害及び無線リソースの浪費を避けることができる。
2018525953.tif 000002
【特許請求の範囲】
【請求項１】
通信装置は、現行チャネルを占有するため、ダウンリンクサブフレームとアップリンクサブフレームの間のスイッチング時間において、信号を送信するステップと、
前記通信装置は、前記現行チャネルにより、データを伝送するステップとを備えることを特徴とするデータ伝送方法。
【請求項２】
前記信号は、現行チャネルを占有することを示すリザベーション信号を含むことを特徴とする請求項１に記載のデータ伝送方法。
【請求項３】
前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含むことを特徴とする請求項２に記載のデータ伝送方法。
【請求項４】
前記通信装置はネットワーク装置であり、前記信号伝送の開始時刻は前記スイッチング時間の開始時刻であり、前記信号伝送の終了時刻と前記スイッチング時間の終了時刻の間の第１間隔長は所定の時間間隔より小さいか等しく、かつ、前記第１間隔長は最小ガード時間より大きいか等しいことを特徴とする請求項１に記載のデータ伝送方法。
【請求項５】
前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しく、
前記第１間隔長は前記信号伝送の終了時刻と前記スイッチング時間の終了時刻の間の的間隔長であり、前記第２間隔長は、前記信号伝送の開始時刻と前記スイッチング時間的開始時刻の間の間隔長であることを特徴とする請求項１に記載のデータ伝送方法。
【請求項６】
前記通信装置はユーザー装置であり、前記信号伝送の開始時刻と前記スイッチング時間の開始時刻の間の第２間隔長は所定の時間間隔より小さいか等しく、かつ前記第２間隔長は最小ガード時間より大きいか等しいことを特徴とする請求項１に記載のデータ伝送方法。
【請求項７】
前記通信装置はユーザー装置であり、
前記通信装置が前記スイッチング時間内に前記信号を送信する前、前記方法は、前記通信装置が、前記ＧＰ内で、チャネル検出ためのスロットにおいて、前記現行チャネルに対して、ＣＣＡ検出を行うステップをさらに備え、
前記通信装置が前記スイッチング時間に前記信号を送信するステップは、包括：前記現行チャネルがアイドル状態となっていることを検出すれば、前記通信装置は前記スイッチング時間内に前記信号を送信することを特徴とする請求項１ないし請求項３、請求項５ないし請求項６のいずれか１項に記載のデータ伝送方法。
【請求項８】
前記通信装置はユーザー装置であり、前記信号は、前記ユーザー装置が前記スイッチング時間終了後にアップリンクサブフレームにおいてネットワーク装置に送信すべきアップリンク信号であり、前記信号伝送の開始時刻と前記スイッチング時間の開始時刻の間の第２間隔長は所定の時間間隔より小さいか等しいことを特徴とする請求項１に記載のデータ伝送方法。
【請求項９】
ユーザー装置は、ネットワーク装置に送信しようとするアップリンク信号を決定するステップと、
前記ユーザー装置は、ダウンリンクサブフレームとアップリンクサブフレームの間のスイッチング時間内、または、前記スイッチング時間終了後、前記アップリンク信号を送信するステップとを備えることを特徴とするデータ伝送方法。
【請求項１０】
前記アップリンク信号伝送の開始時刻と前記ネットワーク装置が前記スイッチング時間内に行った信号伝送の終了時刻の間隔長は、所定のガード時間より大きいか等しいことを特徴とする請求項９に記載のデータ伝送方法。
【請求項１１】
前記ユーザー装置が前記アップリンク信号を送信する前、前記ユーザー装置は、前記スイッチング時間内に、チャネル検出ためのスロットにおいて、ＣＣＡ検出を行うステップをさらに備え、
前記ユーザー装置が前記アップリンク信号を送信するステップは、前記現行チャネルがアイドル状態となっていることを検出すれば、前記ユーザー装置は、現行チャネルを利用して、前記アップリンク信号を送信することを特徴とする請求項９または請求項１０に記載のデータ伝送方法。
【請求項１２】
前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号であることを特徴とする請求項１１に記載のデータ伝送方法。
【請求項１３】
前記ネットワーク装置により送信された信号は、前記ネットワーク装置からユーザー装置に送信するダウンリンク信号をさらに含むことを特徴とする請求項１２に記載のデータ伝送方法。
【請求項１４】
現行チャネルを占有するため、ダウンリンクサブフレームとアップリンクサブフレームの間のガード間隔のスイッチング時間に信号を送信する信号送信モジュールと、
前記現行チャネルによりデータを伝送するデータ伝送モジュールとを備えることを特徴とする通信装置。
【請求項１５】
前記信号は、現行チャネルを占有することを示すリザベーション信号を含むことを特徴とする請求項１４に記載の通信装置。
【請求項１６】
前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含むことを特徴とする請求項１５に記載の通信装置。
【請求項１７】
前記通信装置はネットワーク装置であり、前記信号伝送の開始時刻は前記スイッチング時間の開始時刻であり、前記信号伝送の終了時刻と前記スイッチング時間の終了時刻の間の第１間隔長は所定の時間間隔より小さいか等しく、かつ、前記第１間隔長は最小ガード時間より大きいか等しいことを特徴とする請求項１４に記載の通信装置。
【請求項１８】
前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しく、
前記第１間隔長は前記信号伝送の終了時刻と前記スイッチング時間の終了時刻の間の的間隔長であり、前記第２間隔長は、前記信号伝送の開始時刻と前記スイッチング時間的開始時刻の間の間隔長であることを特徴とする請求項１４に記載の通信装置。
【請求項１９】
前記通信装置はユーザー装置であり、前記信号伝送の開始時刻と前記スイッチング時間の開始時刻の間の第２間隔長は所定の時間間隔より小さいか等しく、かつ前記第２間隔長は最小ガード時間より大きいか等しいことを特徴とする請求項１４に記載の通信装置。
【請求項２０】
前記通信装置はユーザー装置であり、前記通信装置は、
前記スイッチング時間内に、チャネル検出ためのスロットにおいて、前記現行チャネルに対しいてＣＣＡ検出を行うＣＣＡ検出モジュールをさらに備え、
前記信号送信モジュールは、前記現行チャネルがアイドル状態であることを前記ＣＣＡ検出モジュールにより検出すれば、前記スイッチング時間内に前記信号を送信することを特徴とする請求項１４ないし請求項１６、請求項１８ないし請求項１９のいずれか１項に記載の通信装置。
【請求項２１】
前記通信装置はユーザー装置であり、
前記信号は、前記ユーザー装置が前記スイッチング時間終了後にアップリンクサブフレームにおいてネットワーク装置に送信すべきアップリンク信号であり、
前記信号伝送の開始時刻と前記スイッチング時間の開始時刻の間の第２間隔長は、所定の時間間隔より小さいか等しいことを特徴とする請求項１４に記載の通信装置。
【請求項２２】
ネットワーク装置へ送信しようとするアップリンク信号を決定するアップリンク信号決定モジュールと、
ダウンリンクサブフレームとアップリンクサブフレームの間のスイッチング時間内、または、前記スイッチング時間終了後、前記アップリンク信号を送信するアップリンク信号送信モジュールとを備えることを特徴とするユーザー装置。
【請求項２３】
前記アップリンク信号伝送の開始時刻と前記ネットワーク装置が前記スイッチング時間内に行った信号伝送の終了時刻の間隔長は、所定のガード時間より大きいか等しいことを特徴とする請求項２２に記載のユーザー装置。
【請求項２４】
前記ユーザー装置は、
前記スイッチング時間内に、チャネル検出ためのスロットにおいて、ＣＣＡ検出を行うＣＣＡ検出モジュールをさらに備え、
前記アップリンク信号送信モジュールは、前記現行チャネルがアイドル状態であることを前記ＣＣＡ検出モジュールにより検出すれば、現行チャネルにより、前記アップリンク信号を送信することを特徴とする請求項２２または請求項２３に記載のユーザー装置。
【請求項２５】
前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号であることを特徴とする請求項２４に記載のユーザー装置。
【請求項２６】
前記ネットワーク装置により送信された信号は、前記ネットワーク装置からユーザー装置に送信するダウンリンク信号をさらに含むことを特徴とする請求項２５に記載のユーザー装置。
【発明の詳細な説明】
【技術分野】
【０００１】
本発明は通信技術分野に関し、特にデータ伝送方法及び装置に関する。
【背景技術】
【０００２】
移動データトラヒックの増加に伴い、スペクトラムリソースの不足が日々厳しくなり、免許のスペクトラムリソースのみでネットワークを配備し及びトラヒックを伝送することは、もうトラヒックへのニーズに応答できなくなった。ＬＴＥ（ｌｏｎｇ Ｔｅｒｍ Ｅｖｏｌｕｔｉｏｎ）システムの場合、免許不要スペクトラムリソースにおいて、伝送を配備することを考えてもよい。即ち、免許不要ＬＴＥ（Ｕｎｌｉｃｅｎｓｅｄ ＬＴＥ， Ｕ−ＬＴＥまたはＬＴＥ−Ｕと略称）を利用して、ユーザー体験及びカバーエリアを拡大する。免許不要スペクトラムは、具体的な応用システムを限定せず、ブルートゥース、ＷＩＦＩ等複数の無線通信システムより共有されることができ、多様なシステムの間、リソース競争の方式により共有の免許不要スペクトラムリソースを利用する。
【０００３】
柔軟かつ公平的なアダプティヴ・チャネル・アクセスメカニズムを提供するため、ヨーロッパでは、免許不要の５１５０-５３５０ＭＨｚと５４７０-５７２５ＭＨｚ周波帯において、ＬＢＴ（Ｌｉｓｔｅｎ Ｂｅｆｏｒｅ Ｔａｌｋ）技術の利用を要求されている。ＬＢＴプロシージャは、ＷＩＦＩのＣＳＭＡ/ＣＡ（ＣＳＭＡ/ＣＡ Ｃａｒｒｉｅｒ Ｓｅｎｓｅ Ｍｕｌｔｉｐｌｅ Ａｃｃｅｓｓ/Ｃｏｌｌｉｓｉｏｎ Ｄｅｔｅｃｔｉｏｎ）メカニズムと類似し、各設備がチャネルを占有する前にＣＣＡ（Ｃｌｅａｒ Ｃｈａｎｎｅｌ Ａｓｓｅｓｓｍｅｎｔ）を検出する必要がある。ＣＣＡは、エネルギー検出により、 現在チャネルに信号伝送の有無を判断して、チャネルが占有されているか否かを確定する。ＥＴＳＩ（Ｅｕｒｏｐｅａｎ Ｔｅｌｅｃｏｍｍｕｎｉｃａｔｉｏｎ Ｓｔａｎｄａｒｄｉｚａｔｉｏｎ Ｉｎｓｔｉｔｕｔｅ）標準は、免許不要周波帯の設備をフレームベースの（ｆｒａｍｅ−ｂａｓｅｄ）及びロードベース（ｌｏａｄ−ｂａｓｅｄ）２種類に分け、それぞれ２種のアクセスメカニズムに対応し、即ちフレームベースの設備（Ｆｒａｍｅ Ｂａｓｅｄ Ｅｑｕｉｐｍｅｎｔ，ＦＢＥ）及びロードベースの設備（Ｌｏａｄ Ｂａｓｅｄ Ｅｑｕｉｐｍｅｎｔ，ＬＢＥ）。
【０００４】
ＬＴＥ−Ｕは中央ノードにより制御されるネットワークシステムであるため、ユーザー装置（Ｕｓｅｒ Ｅｑｕｉｐｍｅｎｔ，ＵＥ）は、ｅＮＢによりスケジューリングされたから、アップリンクグラント（Ｕｐ Ｌｉｎｋ ｇｒａｎｔ，ＵＬ−ｇｒａｎｔ）をうまく受信した後、チャネルを競争することができる。よって、ＬＴＥ−Ｕアップリンクアクセスきっかけ（ｏｃｃａｓｉｏｎ）はＷＩＦＩと対等しない。もし、ＬＴＥ−Ｕが従来のチャネル・アクセスメカニズムを利用すれば、ＬＴＥ−ＵがＵＬ ＭＵ−ＦＤＭ（Ｍｕｌｔｉｐｌｅ Ｕｓｅｒ Ｆｒｅｑｕｅｎｃｙ Ｄｉｖｉｓｉｏｎ Ｍｕｌｔｉｐｌｅｘｉｎｇ，ＭＵ−ＦＤＭ）及びＵＬ ＭＵ−ＳＤＭ（Ｍｕｌｔｉｐｌｅ Ｕｓｅｒ Ｓｐａｃｅ Ｄｉｖｉｓｉｏｎ Ｍｕｌｔｉｐｌｅｘｉｎｇ，ＭＵ−ＳＤＭ）をサポートすることが要求されるため、複数のユーザー装置が同時にアクセスすることができず、チャネルに先にアクセスしたユーザー装置が先に信号を送信し、これにより、ＥＣＣＡ（Ｅｎｈａｎｃｅｄ ＣＣＡ）のアクセスプロシージャを終了していないユーザーのチャネルへのアクセスが阻害され、ＬＡＡ（Ｌｉｃｅｎｓｅｄ Ａｓｓｉｓｔｅｄ Ａｃｃｅｓｓ）性能が低減されてしまう。
【０００５】
よって、ＬＴＥ−Ｕが従来のチャネル・アクセスメカニズムを採用すると、チャネル・アクセス能力が落ち、複数のユーザー装置が同時にアクセスできないと、同一のセルのユーザー装置間の閉塞も容易に発生してしまう。
【発明の概要】
【発明が解決しようとする課題】
【０００６】
本発明にかかる実施例は、データ伝送方法及び装置を提供し、ＬＴＥ−Ｕが従来のチャネル・アクセスメカニズムを採用すると、チャネル・アクセス能力が落ち、複数のユーザー装置が同時にアクセスできないと、同一のセルのユーザー装置間の閉塞も容易に発生してしまうとの従来の問題点を解決する。
【課題を解決するための手段】
【０００７】
本発明にかかる実施例が提供するデータ伝送方法は、
通信装置は、現行チャネルを占有するため、ダウンリンクサブフレームとアップリンクサブフレームの間のスイッチング時間において、信号を送信するステップと、
前記通信装置は、前記現行チャネルにより、データを伝送するステップとを備える。
【０００８】
好ましい実施手段として、前記信号は、現行チャネルを占有することを示すリザベーション信号を含む。
【０００９】
好ましくは、前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含む。
【００１０】
好ましくは、前記通信装置はネットワーク装置であり、前記信号伝送の開始時刻は前記スイッチング時間の開始時刻であり、前記信号伝送の終了時刻と前記スイッチング時間の終了時刻の間の第１間隔長は所定の時間間隔より小さいか等しく、かつ、前記第１間隔長は最小ガード時間より大きいか等しい。
【００１１】
好ましくは、前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しく、
前記第１間隔長は前記信号伝送の終了時刻と前記スイッチング時間の終了時刻の間の的間隔長であり、前記第２間隔長は、前記信号伝送の開始時刻と前記スイッチング時間的開始時刻の間の間隔長である。
【００１２】
好ましくは、前記通信装置はユーザー装置であり、前記信号伝送の開始時刻と前記スイッチング時間の開始時刻の間の第２間隔長は所定の時間間隔より小さいか等しく、かつ前記第２間隔長は最小ガード時間より大きいか等しい。
好ましくは、前記通信装置はユーザー装置であり、
前記通信装置が前記スイッチング時間内に前記信号を送信する前、前記方法は、前記通信装置は、前記スイッチング時間内に、チャネル検出ためのスロットにおいて、前記現行チャネルに対しＣＣＡ検出を行い、
前記通信装置が前記スイッチング時間に前記信号を送信するステップは、包括：前記現行チャネルがアイドル状態となっていることを検出すれば、前記通信装置は前記スイッチング時間内に前記信号を送信する。
【００１３】
他の好ましい実施手段として、前記通信装置はユーザー装置であり、前記信号は、前記ユーザー装置が前記スイッチング時間終了後にアップリンクサブフレームにおいてネットワーク装置に送信すべきアップリンク信号であり、前記信号伝送の開始時刻と前記スイッチング時間の開始時刻の間の第２間隔長は所定の時間間隔より小さいか等しい。
【００１４】
本発明にかかる実施例が提供するデータ伝送方法は、
ユーザー装置は、ネットワーク装置に送信しようとするアップリンク信号を決定するステップと、
前記ユーザー装置は、ダウンリンクサブフレームとアップリンクサブフレームの間のスイッチング時間内、または、前記スイッチング時間終了後、前記アップリンク信号を送信する。
【００１５】
好ましくは、前記アップリンク信号伝送の開始時刻と前記ネットワーク装置が前記スイッチング時間内に行った信号伝送の終了時刻の間隔長は所定のガード時間より大きいか等しい。
【００１６】
好ましくは、前記ユーザー装置が前記アップリンク信号を送信する前に以下を含む：前記ユーザー装置は、前記スイッチング時間内に、チャネル検出ためのスロットにおいて、ＣＣＡ検出を行いステップをさらに備え、
前記ユーザー装置が前記アップリンク信号を送信するステップは、前記現行チャネルがアイドル状態となっていることを検出すれば、前記ユーザー装置は、現行チャネルを利用して、前記アップリンク信号を送信する。
【００１７】
好ましくは、前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号である。
【００１８】
好ましくは、前記ネットワーク装置により送信された信号は、前記ネットワーク装置からユーザー装置に送信するダウンリンク信号をさらに含む。
【００１９】
本発明にかかる実施例が提供する通信装置は、
現行チャネルを占有するため、ダウンリンクサブフレームとアップリンクサブフレームの間のガード間隔のスイッチング時間に信号を送信する信号送信モジュールと、
前記現行チャネルによりデータを伝送するデータ伝送モジュールとを備える。
【００２０】
好ましい実施手段として、前記信号は、現行チャネルを占有することを示すリザベーション信号を含む。
【００２１】
好ましくは、前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含む。
【００２２】
好ましくは、前記通信装置はネットワーク装置であり、前記信号伝送の開始時刻は前記スイッチング時間の開始時刻であり、前記信号伝送の終了時刻と前記スイッチング時間の終了時刻の間の第１間隔長は所定の時間間隔より小さいか等しく、かつ、前記第１間隔長は最小ガード時間より大きいか等しい。
【００２３】
好ましくは、前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しく、
前記第１間隔長は前記信号伝送の終了時刻と前記スイッチング時間の終了時刻の間の的間隔長であり、前記第２間隔長は、前記信号伝送の開始時刻と前記スイッチング時間的開始時刻の間の間隔長である。
【００２４】
好ましくは、前記通信装置はユーザー装置であり、前記信号伝送の開始時刻と前記スイッチング時間の開始時刻の間の第２間隔長は所定の時間間隔より小さいか等しく、かつ前記第２間隔長は最小ガード時間より大きいか等しい。
【００２５】
好ましくは、前記通信装置はユーザー装置であり、前記通信装置は、
前記スイッチング時間内に、チャネル検出ためのスロットにおいて、前記現行チャネルに対しいてＣＣＡ検出を行うＣＣＡ検出モジュールをさらに備え、
前記信号送信モジュールは、前記現行チャネルがアイドル状態であることを前記ＣＣＡ検出モジュールにより検出すれば、前記スイッチング時間内に前記信号を送信する。
【００２６】
他の好ましい実施手段として、前記通信装置はユーザー装置であり、前記信号は、前記ユーザー装置が前記スイッチング時間終了後にアップリンクサブフレームにおいてネットワーク装置に送信すべきアップリンク信号であり、前記信号伝送の開始時刻と前記スイッチング時間の開始時刻の間の第２間隔長は所定の時間間隔より小さいか等しい。
【００２７】
本発明にかかる実施例が提供するユーザー装置は、
ネットワーク装置へ送信しようとするアップリンク信号を決定するアップリンク信号決定モジュールと、
ダウンリンクサブフレームとアップリンクサブフレームの間のスイッチング時間内、または、前記スイッチング時間終了後、前記アップリンク信号を送信するアップリンク信号送信モジュールとを備える。
【００２８】
好ましくは、前記アップリンク信号伝送の開始時刻と前記ネットワーク装置が前記スイッチング時間内に行った信号伝送の終了時刻の間隔長は所定のガード時間より大きいか等しい。
【００２９】
好ましくは、前記ユーザー装置は、
前記スイッチング時間内に、チャネル検出ためのスロットにおいて、ＣＣＡ検出を行うＣＣＡ検出モジュールをさらに備え、
前記アップリンク信号送信モジュールは、前記現行チャネルがアイドル状態であることを前記ＣＣＡ検出モジュールにより検出すれば、現行チャネルにより、前記アップリンク信号を送信する。
【００３０】
好ましくは、前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号である。
【００３１】
好ましくは、前記ネットワーク装置により送信された信号は、前記ネットワーク装置からユーザー装置に送信するダウンリンク信号をさらに含む。
【００３２】
本発明にかかる実施例が提供する他の通信装置は、送受信機と、前記送受信機と接続する少なくとも１つのプロセッサとを備え、
前記プロセッサは、メモリに格納されたプログラムを読み出して、現行チャネルを占有するため、ダウンリンクサブフレームとアップリンクサブフレームの間のスイッチング時間に信号を送信させるように、送受信機をトリガーし、前記現行チャネルによりデータを伝送する。
【００３３】
好ましい実施手段として、前記信号は、現行チャネルを占有することを示すリザベーション信号を含む。
【００３４】
好ましくは、前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含む。
【００３５】
実施の場合、前記通信装置はネットワーク装置であり、前記信号伝送の開始時刻は前記スイッチング時間の開始時刻であり、前記信号伝送の終了時刻と前記スイッチング時間の終了時刻の間の第１間隔長は所定の時間間隔より小さいか等しく、かつ、前記第１間隔長は最小ガード時間より大きいか等しい。
【００３６】
実施の場合、前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しく、
前記第１間隔長は前記信号伝送の終了時刻と前記スイッチング時間の終了時刻の間の的間隔長であり、前記第２間隔長は、前記信号伝送の開始時刻と前記スイッチング時間的開始時刻の間の間隔長である。
【００３７】
実施の場合、前記通信装置はユーザー装置であり、前記信号伝送の開始時刻と前記スイッチング時間の開始時刻の間の第２間隔長は所定の時間間隔より小さいか等しく、かつ前記第２間隔長は最小ガード時間より大きいか等しい。
【００３８】
好ましくは、前記通信装置はユーザー装置であり、プロセッサは以下を実行する：前記スイッチング時間内に、チャネル検出ためのスロットにおいて、前記現行チャネルに対しいてＣＣＡ検出を行く、前記現行チャネルがアイドル状態となっていることを検出すれば、送受信機がトリガされ、前記スイッチング時間内に前記信号を送信する。
【００３９】
他の好ましい実施手段として、前記通信装置はユーザー装置であり、前記信号は、前記ユーザー装置が前記スイッチング時間終了後にアップリンクサブフレームにおいてネットワーク装置に送信すべきアップリンク信号であり、前記信号伝送の開始時刻と前記スイッチング時間の開始時刻の間の第２間隔長は所定の時間間隔より小さいか等しい。
【００４０】
本発明にかかる実施例が提供する他のユーザー装置は、送受信機と、前記送受信機と接続する少なくとも１つのプロセッサとを備え、
前記プロセッサは、メモリに格納されたプログラムを読み出して、ネットワーク装置に送信しようとするアップリンク信号を決定し、ダウンリンクサブフレームとアップリンクサブフレームの間のスイッチング時間内、または、前記スイッチング時間終了後、前記アップリンク信号を送信させるように、送受信機をトリガーする。
【００４１】
実施の場合、前記アップリンク信号伝送の開始時刻と前記ネットワーク装置が前記スイッチング時間内に行った信号伝送の終了時刻の間隔長は所定のガード時間より大きいか等しい。
【００４２】
好ましくは、プロセッサは、前記スイッチング時間内に、チャネル検出ためのスロットにおいて、ＣＣＡ検出を行い、前記現行チャネルがアイドル状態となっていることを検出すれば、現行チャネルにより、前記アップリンク信号を送信させるように、送受信機をトリガーする。
【００４３】
実施の場合、前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号である。
【００４４】
好ましくは、前記ネットワーク装置により送信された信号は、前記ネットワーク装置からユーザー装置に送信するダウンリンク信号をさらに含む。
【発明の効果】
【００４５】
本発明にかかる実施例によれば、通信装置は、現行チャネルを占有するため、ダウンリンクサブフレームとアップリンクサブフレームの間のスイッチング時間において、信号を送信し、通信装置は現行チャネルによりデータを伝送する。よって、本発明にかかる実施例の技術案の実施煩雑さが低い、かつ、ＵＬアクセスきっかけがＷＩＦＩより劣る問題点を解決でき、ＭＵ−ＦＤＭ及びＭＵ−ＳＤＭの実施に有用であり、ＬＡＡ性能の損害及び無線リソースの浪費を避けることができる。
【図面の簡単な説明】
【００４６】
【図１】本発明の実施例に係る第１種のデータ伝送方法のフローチャートである。
【図２Ａ】本発明の実施例に係る第１種のネットワーク装置がＧＰにおいて送信した信号の送信方式を示す図である。
【図２Ｂ】本発明の実施例に係る第２種のネットワーク装置がＧＰにおいて送信した信号の送信方式を示す図である。
【図２Ｃ】本発明の実施例に係る第１種のユーザー装置がＧＰにおいて送信した信号の送信方式を示す図である。
【図２Ｄ】本発明の実施例に係る第２種のユーザー装置がＧＰにおいて送信した信号の送信方式を示す図である。
【図２Ｅ】本発明の実施例に係る第３種のユーザー装置がＧＰにおいて送信した信号の送信方式を示す図である。
【図２Ｆ】本発明の実施例に係る第４種のユーザー装置がＧＰにおいて送信した信号の送信方式を示す図である。
【図２Ｇ】本発明の実施例に係る第５種のユーザー装置がＧＰにおいて送信した信号の送信方式を示す図である。
【図３】本発明の実施例に係る第２種のデータ伝送方法のフローチャートである。
【図４】本発明の実施例に係る第１種の通信装置を示す図である。
【図５】本発明の実施例に係る第１種のユーザー装置を示す図である。
【図６】本発明の実施例に係る第２種の通信装置を示す図である。
【図７】本発明の実施例に係る第２種のユーザー装置を示す図である。
【発明を実施するための形態】
【００４７】
本発明にかかる実施例は、基地局及び/またはユーザー装置が免許不要周波帯のダウンリンクサブフレームとアップリンクサブフレームの間のスイッチング時間に信号を送信して、現行チャネルを占有できるようになることにより、現行チャネルにアクセスしてデータを伝送することができ、実施煩雑さが低く、アップリンク（Ｕｐ Ｌｉｎｋ，ＵＬ）アクセスきっかけがＷＩＦＩより劣る問題点を解決でき、ＭＵ−ＦＤＭ及びＭＵ−ＳＤＭの実施に有用であり、ＬＡＡ性能の損害及び無線リソースの浪費を避けることができる。本発明にかかる実施例の前記スイッチング時間は、例えば、ガード期間（Ｇｕａｒｄ Ｐｅｒｉｏｄ，ＧＰ），ダウンリンクサブフレームとアップリンクサブフレームのスイッチング期間とも呼ばれる。
【００４８】
以下、ＧＰを前記スイッチング時間として、図面を参照ながら、本発明にかかる実施例をさらに詳しく説明する。ここで、記述した実施例は、本発明の説明・解釈するためのものであり、本発明を限定するものではない。
【００４９】
本発明の実施例に係るデータ伝送方法，図１に示すように、前記方法は以下のステップを備える。
【００５０】
Ｓ１１において、現行チャネルを占有するため、通信装置は、ダウンリンクサブフレームとアップリンクサブフレームの間のＧＰ内に、信号を送信する。
【００５１】
Ｓ１２において、通信装置は現行チャネルによりデータを伝送する。
【００５２】
本発明にかかる実施例において、現行チャネルを占有するため、通信装置は、ダウンリンクサブフレームとアップリンクサブフレームの間のＧＰ内に、信号を送信する。；通信装置は現行チャネルによりデータを伝送する。よって、本発明にかかる実施例の技術案の実施煩雑さが低い、かつ、ＵＬアクセスきっかけがＷＩＦＩより劣る問題点を解決でき、ＭＵ−ＦＤＭ及びＭＵ−ＳＤＭの実施に有用であり、ＬＡＡ性能の損害及び無線リソースの浪費を避けることができる。
【００５３】
説明したいのは、ＬＴＥ時分割多重（Ｔｉｍｅ Ｄｉｖｉｓｉｏｎ Ｄｕｐｌｅｘ，ＴＤＤ）伝送モードの場合、ダウンリンクサブフレームからアップリンクサブフレームにスイッチングする時、ＵＬ/ＤＬクロストークを避けるため、ダウンリンクサブフレームとアップリンクサブフレームの間にガード期間（ＧＰ）を設定する必要がある。ＧＰは、スペシャルサブフレームに位置し、そのサイズは、基地局のカバーエリアに応じて決められ、従来のＬＴＥプロトコルによれば、ＧＰは、最小で１つのＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）シンボルである。従来のＬＴＥプロトコルの規定により、ＧＰはアイドル周期であり、免許周波帯のＧＰにおいていずれの信号も送信しないが、免許不要周波帯において、この間の時間は、ＷＩＦＩ設備が現行チャネルへアクセスしてしまい、ＵＬ伝送にLＢT操作なしが希望であれば、ＤLとＵＬ間の許可できる時間間隔が２０μs前後にすぎない可能性があるため、ＷＩＦＩ設備の現行チャネルへのアクセスを避けるため、ＧＰ内に信号を送信して現行チャネルを占有することができ、こうして、ＷＩＦＩ設備がチャネル検出を行う場合、当該信号を検出するため、ＷＩＦＩ設備が当該チャネルを占有することができなくなる。
【００５４】
もちろん、ＵＬ/ＤＬサブフレーム構成において、ダウンリンクサブフレームとアップリンクサブフレームの間に、ガード期間（ＧＰ）の伝送モードが設定されると、本発明にかかる実施例は、免許不要周波帯のＬＴＥ ＴＤＤ伝送モードの以外、他の伝送モードにも適用できる。
【００５５】
実施の場合、通信装置は、基地局等のネットワーク装置であることができる。通信装置はユーザー装置であることもできる。以下、通信装置がネットワーク装置である、及び通信装置がユーザー装置であるとの２つの場合に分ける詳しく説明する。
【００５６】
＜場合１＞通信装置はネットワーク装置である。
【００５７】
好ましくは、ネットワーク装置がＧＰにおいでて送信した信号は、現行チャネルを占有することを示すリザベーション信号を含む（ｒｅｓｅｒｖａｔｉｏｎ ｓｉｇｎａｌ）。
【００５８】
好ましくは、前記リザベーション信号は、少なくとも一部のＯＦＤＭシンボルを占有し、即ち、前記リザベーション信号は、ＯＦＤＭシンボル中の一部を占有する。
【００５９】
ＧＰが１つのＯＦＤＭシンボルより大きければ、好ましくは、ネットワーク装置がＧＰ内に送信された信号は、ネットワーク装置からユーザー装置に送信されたダウンリンク信号をさらに含む。例えば、ネットワーク装置は、ＧＰ内にパイロット信号も送信し、ユーザー装置の同期等に協力する。
【００６０】
実施の場合、ネットワーク装置がＧＰ内の信号伝送は、以下２種の好ましい実施方式を有する。
【００６１】
＜方式１＞ネットワーク装置がＧＰ内の信号伝送の開始時刻は、前記ＧＰの開始時刻であり、ネットワーク装置のＧＰ内における信号伝送の終了時刻と前記ＧＰの終了時刻の間の第１間隔長は所定の時間間隔より小さいか等しく、かつ、前記第１間隔長は、最小ガード時間より大きいか等しい。
【００６２】
本発明にかかる実施例において、所定の時間間隔は、チャネルの占有を許可する前、ＣＣＡ検出を行わない最長時間間隔である。
【００６３】
本発明にかかる実施例において、最小ガード時間は、システムカバーエリアの距離と関連し、カバーエリアの距離が大きければ大きいほど、最小ガード時間が大きい。ＧＰ長は最小ガード時間より大きいか等しく、かつ、ＧＰは少なくとも１つのＯＦＤＭシンボルを含む。
【００６４】
当該方式において、好ましい実施手段として、ユーザー装置は、ネットワーク装置のＤL信号伝送後の所定の時間間隔内に、ＣＣＡ検出せず、直ちにアップリンク伝送を行うことができる。
【００６５】
好ましくは、ユーザー装置のＵＬ信号伝送の開始時刻はＧＰ終了後のアップリンクサブフレームの開始時刻であるか、または、ユーザー装置のＵＬ信号伝送の開始時刻は、前記ＧＰ内の時刻である。
【００６６】
例を挙げて説明する。図２Ａに示すように、ＧＰは、スペシャルサブフレーム内に位置し、基地局は、ＧＰの開始時刻にｒｅｓｅｒｖａｔｉｏｎ ｓｉｇｎａｌを送信し始め、前記ＧＰの終了時刻までXμs残るところ（即ち第１間隔長）まで終了する。Xは所定の時間間隔より小さいか等しい。一方、スケジューリング成功したＵＥは、基地局の信号伝送が終了下後、ＣＣＡ検出なしに、直接にアップリンク伝送を行うことができる。図面のフレーム構造は、説明にすぎず、限定するためではない。本発明にかかる実施例は、たの設定されたフレーム構成に適用することができる。
【００６７】
他の好ましい実施手段として、前記方法は、ユーザー装置は、チャネル検出ためのスロットにおいてＣＣＡ検出を行うステップと、現行チャネルがアイドル状態であることを検出する場合、現行チャネルにより信号を送信するステップと、現行チャネルが占有されていることを検出する場合、前記現行チャネルの占有を放棄するステップとを備える。前記チャネル検出ためのスロットは、前記ＧＰ内、または、前記ＧＰ終了後のサブフレームに位置する。
【００６８】
例を挙げて説明する。図２Ｂに示すように、基地局は、まず、ＧＰ内において、リザベーション信号を送信し、スケジューリングできたＵＥは、ＧＰ内のＣＣＡスロットにおいて、現行チャネルをモニタリングし、現行チャネルがアイドル状態であれば、チャネルへアクセスし、現行チャネルが多忙であれば、今回のアクセスを放棄する。ＵＥは、ＧＰ内で、チャネルへアクセスした後、信号を即時に送信し、前記信号は、リザベーション信号、アップリンクデータ、またはパイロット信号のうちの１つであることができる。基地局がＧＰ内でリザベーション信号を送信することにより、ＧＰ内のアイドル時間を短縮し、ＬＴＥ−Ｕのチャネルへのアクセスに有用である。
【００６９】
＜方式２＞ネットワーク装置がＧＰ内の信号伝送の開始時刻と前記ＧＰの開始時刻の間の第２間隔長と、送信された信号伝送の終了時刻と前記ＧＰの終了時刻の間の第１間隔長の和は、所定の時間間隔より小さいか等しく、かつ、第１間隔長は最小ガード時間より大きいか等しい。
【００７０】
当該方式において好ましい実施手段として、ユーザー装置は、ネットワーク装置のＤL信号伝送後の所定の時間間隔において、ＣＣＡ検出せず、アップリンク伝送を直ちに行うことができる。
【００７１】
例を挙げて説明する。図２Ｃに示すように、ＧＰは、スペシャルサブフレーム内に位置し、基地局は、ＧＰの開始時刻がX１μsを経過するところでｒｅｓｅｒｖａｔｉｏｎ ｓｉｇｎａｌを送信し始め、前記ＧＰの終了時刻までX２μs残るところで終了する。X１とX２の和は所定の時間間隔より小さいか等しい。一方、スケジューリングできたＵＥは、基地局の信号伝送が終了した後、ＣＣＡ検出せず、アップリンク伝送を直ちに行うことができる。
【００７２】
他の好ましい実施手段として、前記方法は、ユーザー装置は、チャネル検出ためのスロットにおいて、ＣＣＡ検出を行うステップと、現行チャネルがアイドル状態であることを検出する場合、現行チャネルにより信号を送信するステップと、現行チャネルが占有されていることを検出する場合、前記現行チャネルの占有を放棄するステップとをさらに備える。前記チャネル検出ためのスロットは、前記ＧＰ内、または、前記ＧＰ終了後のサブフレームに位置する。
【００７３】
例を挙げて説明する。図２Ｄに示すように、ＧＰは、スペシャルサブフレーム内に位置し、基地局は、ＧＰの開始時刻がX１μsを経過するところでｒｅｓｅｒｖａｔｉｏｎ ｓｉｇｎａｌを送信し始め、前記ＧＰの終了時刻までX２μsが残るところで終了する。X１とX２の和は所定の時間間隔より小さいか等しい。一方、スケジューリングできたＵＥは、ＧＰ内のＣＣＡスロットにおいて、現行チャネルをモニタリングし、現行チャネルがアイドル状態であれば、チャネルへアクセスし、現行チャネルが多忙であれば、今回のアクセスを放棄する。ＵＥは、ＧＰ内で、チャネルへアクセスした後、信号を即時に送信し、前記信号は、リザベーション信号、アップリンクデータ、またはパイロット信号のうちの１つであることができる。基地局は、ＧＰ内でリザベーション信号を送信し、ＧＰ内のアイドル時間を短縮し、ＬＴＥ−Ｕのチャネルへのアクセスに有用である。
【００７４】
説明したいのは、本発明にかかる実施例のＧＰは、スペシャルサブフレーム内に設定されるほか、他の位置での設定を排除しない。ＣＣＡ検出の場合、エネルギー検出で現行チャネルに信号伝送の有無を判断して、チャネルが占有されたか否かを確定する。
【００７５】
＜第２種の場合＞通信装置はユーザー装置である。
【００７６】
この場合、ユーザー装置がＧＰ内に送信された信号は、以下３つの好ましい実施方式を含む。
【００７７】
＜方式１＞ユーザー装置がＧＰ内に送信された信号は、現行チャネルを占有することを示すリザベーション信号を含む。
【００７８】
好ましくは、前記リザベーション信号は、少なくとも一部のＯＦＤＭシンボルを占有し、即ち、前記リザベーション信号は、少なくともＯＦＤＭシンボルの一部を占有する。
【００７９】
当該方式においてＧＰが１つのＯＦＤＭシンボルより大きければ、好ましくは、ユーザー装置がＧＰ内に送信された信号は、ユーザー装置からネットワーク装置へ送信されたアップリンク信号をさらに含む。例えば、アップリンクデータ、パイロット信号等。
【００８０】
当該方式においてユーザー装置がＧＰ内における信号伝送は以下２つの好ましい実施手段を含む。
【００８１】
１、ユーザー装置のＧＰ内における信号伝送の終了時刻は前記ＧＰの終了時刻であり、ユーザー装置がＧＰ内の信号伝送の開始時刻と前記ＧＰの開始時刻の間の第２間隔長は所定の時間間隔より小さいか等しく、かつ、第２間隔長は最小ガード時間より大きいか等しい。
【００８２】
例を挙げて説明する。図２Ｅに示すように、ＧＰは、スペシャルサブフレーム内に位置し、ＧＰ内の先頭のXμsにおいて、いずれの信号（即ち第２間隔長）も送信せず、スケジューリングできたＵＥは、ＧＰの開始時刻がXμsを経過するところでｒｅｓｅｒｖａｔｉｏｎ ｓｉｇｎａｌを送信し、Xは所定の時間間隔より小さいか等しい。こうして、前記ＵＥは、ＣＣＡ検出せず、ＧＰ終了後に直ちにアップリンク伝送を行うことができる。
【００８３】
２、ユーザー装置がＧＰ内の信号伝送の開始時刻と前記ＧＰの開始時刻の間の第２間隔長と、送信した信号伝送の終了時刻と前記ＧＰの終了時刻の間の第１間隔長の和は、所定の時間間隔により小さいか等しく、かつ、最小ガード時間より大きいか等しい。
【００８４】
＜方式２、＞ユーザー装置がＧＰ内に送信された信号は、前記ユーザー装置が前記ＧＰ終了後のアップリンクサブフレームにおいてネットワーク装置へ送信しようとするアップリンク信号である。
【００８５】
当該方式において、ユーザー装置は、ＧＰ終了後のアップリンクサブフレームにおいてネットワーク装置へ送信しようとするアップリンク信号を繰り上げて、ＧＰにおいて送信して、現行チャネルを占有するようにする。当該方式において、ネットワーク装置及びユーザー装置は、ＧＰ内で、リザベーション信号を送信する必要がない。
【００８６】
当該方式において、ユーザー装置がＧＰ内の信号伝送の開始時刻と前記ＧＰの開始時刻の間の第２間隔長は所定の時間間隔より小さいか等しく、かつ、第２間隔長は最小ガード時間より大きいか等しい。
【００８７】
例を挙げて説明する。図２Ｆに示すように、ユーザー装置のアップリンク伝送の始点は、もともとのＧＰ終了後のアップリンクサブフレームから、前記ＧＰの開始時刻X μsのところに繰り上げるようになった。Xは所定の時間間隔より小さいか等しく、かつ、最小ガード時間より大きいか等しい。ＵＬ伝送の開始時間が繰り上げられたため、対応のＵＬ伝送の終了時間も繰り上げられた。ＵＬ伝送の開始時間を繰り上げることは、免許プライマリキャリアとLＡＡキャリアのアライメント関係に影響を与えない。
【００８８】
以上の方式１または方式２において、ユーザー装置は、ＧＰ内で信号を送信することにより、現行チャネルを占有し、こうして、ユーザー装置が信号を送信した後、ＣＣＡ検出せず、アップリンク伝送を直ちに行うことができる。
【００８９】
＜方式３＞通信装置はユーザー装置であり、通信装置がＧＰ内で信号を送信する前、通信装置は、前記ＧＰ内で、チャネル検出ためのスロットにおいて、現行チャネルに対してＣＣＡ検出を行うステップと、
現行チャネルがアイドル状態であることを検出する場合、信号を送信するステップと、
現行チャネルが占有されていることを検出する場合、現行チャネルの占有を放棄するステップとをさらに備える。
【００９０】
当該方式において、ユーザー装置により送信された信号は、現行チャネルを占有することを示すリザベーション信号を含む。
【００９１】
ＧＰが１つのＯＦＤＭシンボルより大きければ、好ましくは、ユーザー装置がＧＰ内に送信された信号は、ユーザー装置からネットワーク装置へ送信されたアップリンク信号をさらに含む。
【００９２】
当該方式は、好ましくは、ネットワーク装置のダウンリンク伝送時間が所定の最大チャネル占有時間に達したか、または、最小ガード時間が所定の時間間隔より大きい場合に適用できる。
【００９３】
例を挙げて説明する。図２Ｇに示すように、スケジューリングできたＵＥは、ＧＰ内でＣＣＡ検出を行って、チャネルがアイドル状態であるかをモニタリングし、チャネルがアイドル状態であれば、チャネルへアクセスし、チャネルが多忙であれば、今回のアクセスを放棄する。ＣＣＡ検出の開始位置は、一般に前記ＧＰの開始時刻が所定の時間間隔を超えるところに位置する。ＵＥは、ＧＰ内で、チャネルへアクセスした後、信号を即時に送信して、当該チャネルを占有するようにする。
【００９４】
同様な発明思想に基づいて、本発明にかかる実施例が提供するデータ伝送方法は、図１に示すデータ伝送方法における執行主体であるネットワーク装置に対応して、図３に示すように、前記方法は以下のステップを備える。
【００９５】
Ｓ３１において、ユーザー装置は、ネットワーク装置に送信しようとするアップリンク信号を決定する。
【００９６】
Ｓ３２において、ユーザー装置は、ダウンリンクサブフレームとアップリンクサブフレームの間のＧＰない、または、前記ＧＰ終了後、アップリンク信号を送信する。
【００９７】
実施の場合、ユーザー装置により送信されたアップリンク信号伝送の開始時刻と、ネットワーク装置がＧＰ内で送信した信号伝送の終了時刻の間隔長は、所定のガード時間より大きいか等しい。
【００９８】
好ましくは、Ｓ３２の前に、ユーザー装置は、ＧＰ内のチャネル検出ためのスロットにおいてＣＣＡ検出を行う。
【００９９】
現行チャネルがアイドル状態であることを検出する場合、Ｓ３２は、具体的に、ユーザー装置は現行チャネルにより、アップリンク信号を送信する。
【０１００】
他の実施手段として、現行チャネルが占有されていることを検出する場合、ユーザー装置は、現行チャネルへのアクセスを放棄する。
【０１０１】
実施の場合、ネットワーク装置により送信された信号は、現行チャネルを占有することを示すリザベーション信号を含む。
【０１０２】
ユーザー装置により送信された信号は、現行チャネルを占有することを示すリザベーション信号、または、前記ユーザー装置からネットワーク装置へ送信されたアップリンク信号である。前記ユーザー装置からネットワーク装置へ送信されたアップリンク信号は、アップリンクデータであってもよく、パイロット信号であってもよい。
【０１０３】
好ましくは、ネットワーク装置により送信された信号は、ネットワーク装置からユーザー装置に送信されたダウンリンク信号をさらに含む。ネットワーク装置から前記ユーザー装置に送信したダウンリンク信号は、ダウンリンクデータであってもよく、パイロット信号であってもよい。
【０１０４】
以上の方法の処理流れは、ソフトウェアプログラムにより実施することができ、当該ソフトウェアプログラムは、記憶媒体に格納されることができ、格納されたソフトウェアプログラムが呼び出される場合、上述の方法ステップを執行する。
【０１０５】
同様な発明思想に基づいて、本発明にかかる実施例は通信装置を提供し、図１に示すデータ伝送方法と対応するように、図４に示す当該通信装置は、
現行チャネルを占有するため、ダウンリンクサブフレームとアップリンクサブフレームの間のガード期間（ＧＰ）内で信号を送信する信号送信モジュール４１と、前記現行チャネルによりデータを伝送するデータ伝送モジュール４２とを備える。
実施の場合、好ましい実施手段として、前記信号は、現行チャネルを占有することを示すリザベーション信号を含む。
【０１０６】
好ましくは、前記通信装置がネットワーク装置である場合、前記信号は、前記ネットワーク装置からユーザー装置に送信するダウンリンク信号をさらに含む。
【０１０７】
前記通信装置がユーザー装置である場合、前記信号は、前記ユーザー装置からネットワーク装置へ送信するアップリンク信号をさらに含む。
【０１０８】
実施の場合、前記通信装置はネットワーク装置であり、前記信号伝送の開始時刻は、前記ＧＰの開始時刻であり、前記信号伝送の終了時刻と前記ＧＰの終了時刻の間の第１間隔長は所定の時間間隔より小さいか等しく、かつ、前記第１間隔長は最小ガード時間より大きいか等しい。
【０１０９】
実施の場合、前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しい。
【０１１０】
前記第１間隔長は、前記信号伝送の終了時刻と前記ＧＰの終了時刻の間の間隔長であり、前記第２間隔長は、前記信号伝送の開始時刻と前記ＧＰの開始時刻の間の間隔長である。
【０１１１】
実施の場合、前記通信装置はユーザー装置であり、前記信号伝送の開始時刻と前記ＧＰの開始時刻の間の第２間隔長は所定の時間間隔より小さいか等しく、かつ前記第２間隔長は最小ガード時間より大きいか等しい。
【０１１２】
好ましくは、前記通信装置はユーザー装置であり、前記通信装置は、前記ＧＰ内で、チャネル検出ためのスロットにおいて、前記現行チャネルに対してＣＣＡ検出を行うＣＣＡ検出モジュールをさらに備える。
【０１１３】
前記信号送信モジュールは、前記現行チャネルがアイドル状態であることを前記ＣＣＡ検出モジュールにより検出すれば、前記ＧＰ内で、前記信号を送信する。
【０１１４】
他の好ましい実施手段として、前記通信装置はユーザー装置であり、前記信号は、前記ユーザー装置が前記ＧＰ終了後のアップリンクサブフレームにおいてネットワーク装置へ送信しようとするアップリンク信号である，前記信号伝送の開始時刻と前記ＧＰの開始時刻の間の第２間隔長は所定の時間間隔より小さいか等しい。
【０１１５】
同様な発明思想に基づいて、本発明にかかる実施例が提供するユーザー装置は、図３に示すデータ伝送方法と対応し、図５に示すように、前記ユーザー装置は、
ネットワーク装置に送信しようとするアップリンク信号を決定するアップリンク信号決定モジュール５１と、ダウンリンクサブフレームとアップリンクサブフレームの間のＧＰ内、または、前記ＧＰ終了後、前記アップリンク信号を送信するアップリンク信号送信モジュール５２とを備える。
【０１１６】
実施の場合、前記アップリンク信号伝送の開始時刻と前記ネットワーク装置が前記ＧＰ内における信号伝送の終了時刻の間隔長は、所定のガード時間より大きいか等しい。
【０１１７】
好ましくは、前記ユーザー装置は、前記ＧＰ内で、チャネル検出ためのスロットにおいて、ＣＣＡ検出を行うＣＣＡ検出モジュールをさらに備える。
【０１１８】
前記アップリンク信号送信モジュールは、前記現行チャネルがアイドル状態であることを前記ＣＣＡ検出モジュールにより検出すれば、現行チャネルにより、前記アップリンク信号を送信する。
【０１１９】
実施の場合、前記ネットワーク装置により送信された信号は、現行チャネルを占有することを示すリザベーション信号を含む。
【０１２０】
前記ユーザー装置により送信された信号は、現行チャネルを占有することを示すリザベーション信号、または、前記ユーザー装置から前記ネットワーク装置に送信したアップリンク信号である。
【０１２１】
好ましくは、前記ネットワーク装置により送信された信号は、前記ネットワーク装置からユーザー装置に送信するダウンリンク信号をさらに含む。
【０１２２】
以下、好ましいハードウェアを結合して、本発明の実施例に係る、図１に示すデータ伝送方法と対応する通信装置の構成、処理方式を説明する。
【０１２３】
図６の実施例において、通信装置は、送受信機６１と、前記送受信機６１と接続する少なくとも１つのプロセッサ６２とを備える。
【０１２４】
前記プロセッサ６２は、メモリ６３におけるプログラムを読み出して、現行チャネルを占有するため、ダウンリンクサブフレームとアップリンクサブフレームの間のＧＰ内で、信号を送信し、前記現行チャネルによりデータを伝送するように、送受信機６１をトリガーする。
【０１２５】
図６において、バスアーキテクチャは、いずれ数の相互接続するバス及びブリッジを備える。具体的に、プロセッサ６２が代表となる１つまたは複数のプロセッサ及びメモリ６３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機１は、複数の部品であることができ、即ち、送信機及び受信機を備え、伝送媒体を介して他の装置と通信するユニットを提供する。
【０１２６】
プロセッサ６２は、バズアーキテクチャ及び通常の処理を監視し、メモリ６３は、プロセッサ６２が動作する際に利用するデータを記憶することができる。
【０１２７】
実施の場合、好ましい実施手段として、前記信号は、現行チャネルを占有することを示すリザベーション信号を含む。
【０１２８】
好ましくは、前記通信装置がネットワーク装置である場合、前記信号は、前記ネットワーク装置からユーザー装置に送信するダウンリンク信号をさらに含む。
【０１２９】
前記通信装置がユーザー装置である場合、前記信号は、前記ユーザー装置からネットワーク装置へ送信するアップリンク信号をさらに含む。
【０１３０】
実施の場合、前記通信装置はネットワーク装置であり、前記信号伝送の開始時刻は、前記ＧＰの開始時刻であり、前記信号伝送の終了時刻と前記ＧＰの終了時刻の間の第１間隔長は所定の時間間隔より小さいか等しく、かつ、前記第１間隔長は最小ガード時間より大きいか等しい。
【０１３１】
実施の場合、前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しい。
【０１３２】
前記第２間隔長は、前記信号伝送の開始時刻と前記ＧＰの開始時刻の間の間隔長である。
【０１３３】
実施の場合、前記通信装置はユーザー装置であり、前記信号伝送の開始時刻と前記ＧＰの開始時刻の間の第２間隔長は所定の時間間隔より小さいか等しく、かつ前記第２間隔長は最小ガード時間より大きいか等しい。
【０１３４】
好ましくは、前記通信装置はユーザー装置であり、プロセッサ６２は、前記ＧＰ内で、チャネル検出ためのスロットにおいて前記現行チャネルにたいしてＣＣＡ検出を行い、前記現行チャネルがアイドル状態となっていることを検出すれば、前記ＧＰ内で、前記信号を送信するように、送受信機６１をトリガーする。
【０１３５】
他の好ましい実施手段として、前記通信装置はユーザー装置であり、前記信号は、前記ユーザー装置が前記ＧＰ終了後のアップリンクサブフレームにおいてネットワーク装置へ送信しようとするアップリンク信号である，前記信号伝送の開始時刻と前記ＧＰの開始時刻の間の第２間隔長は所定の時間間隔より小さいか等しい。
【０１３６】
以下、好ましいハードウェア構成を結合して、本発明の実施例に係る、図３に示すデータ伝送方法に対応するユーザー装置の構造、処理方式を説明する。
【０１３７】
図７に示す実施例において、ユーザー装置は、送受信機７１と、与前記送受信機７１と接続する少なくとも１つのプロセッサ７２とを備える。
【０１３８】
前記プロセッサ７２は、メモリ７３に格納されたプログラムを読み出して、ネットワーク装置に送信しようとするアップリンク信号を決定し、ダウンリンクサブフレームとアップリンクサブフレームの間のＧＰ内で、または、前記ＧＰ終了後、前記アップリンク信号を送信するように、送受信機７１をトリガーする。
【０１３９】
図７において、バスアーキテクチャは、いずれ数の相互接続するバス及びブリッジを備える。具体的に、プロセッサ７２が代表となる１つまたは複数のプロセッサ及びメモリ７３が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機７１は、複数の部品であることができ、即ち、送信機及び受信機を備え、伝送媒体を介して他の装置と通信するユニットを提供する。
【０１４０】
プロセッサ７２は、バズアーキテクチャ及び通常の処理を監視し、メモリ７３は、プロセッサ７２が動作する際に利用するデータを記憶することができる。
【０１４１】
実施の場合、前記アップリンク信号伝送の開始時刻と前記ネットワーク装置が前記ＧＰ内における信号伝送の終了時刻の間隔長は、所定のガード時間より大きいか等しい。
【０１４２】
好ましくは、プロセッサ７２は、前記ＧＰ内で、チャネル検出ためのスロットにおいて、ＣＣＡ検出を行い、前記現行チャネルがアイドル状態となっていることを検出すれば、現行チャネルにより、前記アップリンク信号を送信するように、送受信機７１をトリガーする。
【０１４３】
実施の場合、前記ネットワーク装置により送信された信号は、現行チャネルを占有することを示すリザベーション信号を含む。
【０１４４】
前記ユーザー装置により送信された信号は、現行チャネルを占有することを示すリザベーション信号、または、前記ユーザー装置から前記ネットワーク装置に送信したアップリンク信号である。
【０１４５】
好ましくは、前記ネットワーク装置により送信された信号は、前記ネットワーク装置からユーザー装置に送信するダウンリンク信号をさらに含む。
【０１４６】
本領域の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０１４７】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０１４８】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０１４９】
これらのコンピュータプログラム指令は又、コンピュータ又は他のプログラミング可能なデータ処理装置に実装できる。コンピュータプログラム指令が実装されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０１５０】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０１５１】
無論、当業者により、上述した実施形態に記述された技術的な解決手段を改造し、又はその中の一部の技術要素を置換することもできる。そのような改造と置換は本発明の各実施形態の技術の範囲から逸脱するとは見なされない。
【０１５２】
本出願は、２０１５年７月３１日に中国特許局に提出し、出願番号が２０１５１０４６４４５０.０であり、発明名称が「データ伝送方法及び装置」との中国特許出願を基礎とする優先権を主張し、その開示の総てをここに取り込む。
【符号の説明】
【０１５３】
４１  信号送信モジュール
４２  データ伝送モジュール
５１  アップリンク信号決定モジュール
５２  アップリンク信号送信モジュール
６１  送受信機
６２  プロセッサ
６３  メモリ
７１  送受信機
７２  プロセッサ
７３  メモリ
【図１】
2018525953.tif 000003
【図２Ａ】
2018525953.tif 000004
【図２Ｂ】
2018525953.tif 000005
【図２Ｃ】
2018525953.tif 000006
【図２Ｄ】
2018525953.tif 000007
【図２Ｅ】
2018525953.tif 000008
【図２Ｆ】
2018525953.tif 000009
【図２Ｇ】
2018525953.tif 000010
【図３】
2018525953.tif 000011
【図４】
2018525953.tif 000012
【図５】
2018525953.tif 000013
【図６】
2018525953.tif 000014
【図７】
2018525953.tif 000015
【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
通信装置は、現行チャネルを占有するため、ダウンリンクサブフレームとアップリンクサブフレームの間のスイッチング時間において、信号を送信するステップと、
前記通信装置は、前記現行チャネルにより、データを伝送するステップとを備えることを特徴とするデータ伝送方法。
【請求項２】
前記信号は、現行チャネルを占有することを示すリザベーション信号を含み、
前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含むことを特徴とする請求項１に記載のデータ伝送方法。
【請求項３】
前記通信装置はネットワーク装置であり、前記信号伝送の開始時刻は前記スイッチング時間の開始時刻であり、前記信号伝送の終了時刻と前記スイッチング時間の終了時刻の間の第１間隔長は所定の時間間隔より小さいか等しく、かつ、前記第１間隔長は最小ガード時間より大きいか等しいことを特徴とする請求項１または請求項２に記載のデータ伝送方法。
【請求項４】
前記通信装置がネットワーク装置である場合、第２間隔長と第１間隔長の和は所定の時間間隔より小さいか等しく、かつ、前記第１間隔長は最小ガード時間より大きいか等しく、前記通信装置がユーザー装置である場合、第２間隔長と第１間隔長の和は所定の時間間隔より小さいか等しく、かつ前記第２間隔長は最小ガード時間より大きいか等しく、
前記第１間隔長は前記信号伝送の終了時刻と前記スイッチング時間の終了時刻の間の的間隔長であり、前記第２間隔長は、前記信号伝送の開始時刻と前記スイッチング時間的開始時刻の間の間隔長であることを特徴とする請求項１ないし請求項３のいずれか１項に記載のデータ伝送方法。
【請求項５】
前記通信装置はユーザー装置であり、前記信号伝送の開始時刻と前記スイッチング時間の開始時刻の間の第２間隔長は所定の時間間隔より小さいか等しく、かつ前記第２間隔長は最小ガード時間より大きいか等しいことを特徴とする請求項１ないし請求項４のいずれか１項に記載のデータ伝送方法。
【請求項６】
前記通信装置はユーザー装置であり、
前記通信装置が前記スイッチング時間内に前記信号を送信する前、前記方法は、前記通信装置が、前記ＧＰ内で、チャネル検出ためのスロットにおいて、前記現行チャネルに対して、ＣＣＡ検出を行うステップをさらに備え、
前記通信装置が前記スイッチング時間に前記信号を送信するステップは、包括：前記現行チャネルがアイドル状態となっていることを検出すれば、前記通信装置は前記スイッチング時間内に前記信号を送信することを特徴とする請求項１ないし請求項５のいずれか１項に記載のデータ伝送方法。
【請求項７】
ユーザー装置は、ネットワーク装置に送信しようとするアップリンク信号を決定するステップと、
前記ユーザー装置は、ダウンリンクサブフレームとアップリンクサブフレームの間のスイッチング時間内、または、前記スイッチング時間終了後、前記アップリンク信号を送信するステップとを備えることを特徴とするデータ伝送方法。
【請求項８】
前記ユーザー装置が前記アップリンク信号を送信する前、前記ユーザー装置は、前記スイッチング時間内に、チャネル検出ためのスロットにおいて、ＣＣＡ検出を行うステップをさらに備え、
前記ユーザー装置が前記アップリンク信号を送信するステップは、前記現行チャネルがアイドル状態となっていることを検出すれば、前記ユーザー装置は、現行チャネルを利用して、前記アップリンク信号を送信することを特徴とする請求項７に記載のデータ伝送方法。
【請求項９】
前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号であり、
前記ネットワーク装置により送信された信号は、前記ネットワーク装置からユーザー装置に送信するダウンリンク信号をさらに含むことを特徴とする請求項８に記載のデータ伝送方法。
【請求項１０】
現行チャネルを占有するため、ダウンリンクサブフレームとアップリンクサブフレームの間のガード間隔のスイッチング時間に信号を送信する信号送信モジュールと、
前記現行チャネルによりデータを伝送するデータ伝送モジュールとを備えることを特徴とする通信装置。
【請求項１１】
前記信号は、現行チャネルを占有することを示すリザベーション信号を含み、
前記通信装置がネットワーク装置である場合、前記信号は、前記ネットワーク装置からユーザー装置に送信するダウンリンク信号をさらに含み、
前記通信装置がユーザー装置である場合、前記信号は、前記ユーザー装置からネットワーク装置へ送信するアップリンク信号をさらに含むことを特徴とする請求項１０に記載の通信装置。
【請求項１２】
前記通信装置はユーザー装置であり、前記通信装置は、
前記スイッチング時間内に、チャネル検出ためのスロットにおいて、前記現行チャネルに対しいてＣＣＡ検出を行うＣＣＡ検出モジュールをさらに備え、
前記信号送信モジュールは、前記現行チャネルがアイドル状態であることを前記ＣＣＡ検出モジュールにより検出すれば、前記スイッチング時間内に前記信号を送信することを特徴とする請求項１０または請求項１１に記載の通信装置。
【請求項１３】
ネットワーク装置へ送信しようとするアップリンク信号を決定するアップリンク信号決定モジュールと、
ダウンリンクサブフレームとアップリンクサブフレームの間のスイッチング時間内、または、前記スイッチング時間終了後、前記アップリンク信号を送信するアップリンク信号送信モジュールとを備えることを特徴とするユーザー装置。
【請求項１４】
前記ユーザー装置は、
前記スイッチング時間内に、チャネル検出ためのスロットにおいて、ＣＣＡ検出を行うＣＣＡ検出モジュールをさらに備え、
前記アップリンク信号送信モジュールは、前記現行チャネルがアイドル状態であることを前記ＣＣＡ検出モジュールにより検出すれば、現行チャネルにより、前記アップリンク信号を送信することを特徴とする請求項１３に記載のユーザー装置。
【請求項１５】
前記ネットワーク装置により送信された信号は、現行チャネルを占有することを示すリザベーション信号を含み、
前記ユーザー装置により送信された信号は、現行チャネルを占有することを示すリザベーション信号、または、前記ユーザー装置から前記ネットワーク装置に送信したアップリンク信号であり、
前記ネットワーク装置により送信された信号は、前記ネットワーク装置からユーザー装置に送信するダウンリンク信号をさらに含むことを特徴とする請求項１４に記載のユーザー装置。
【国際調査報告】
2018525953.tif 000016
2018525953.tif 000017
2018525953.tif 000018
2018525953.tif 000019